(57)【要約】【課題】雨が降った時に雨水が室内へ侵入して室内が汚れることを防止することができることを目的とする。【解決手段】壁に設けた貫通孔に取り付けられる枠状に組立てられる形状の４個づつの同一形状の薄肉の角部品１と板部品２とで構成し、角部品１と板部品２は２つの中心平面に対してそれぞれが対称形とし、角部品１と板部品２に嵌合穴と嵌合突部とを設け、角部品１と板部品２とを接合し取付枠として組み立て、角部品１と板部品２との内面に凸状の水止めリブ１１を設け、雨水の一部は換気扇と取付枠との隙間から浸入して取付枠の内面１３に沿って流れ水止めリブ１１に接触しせき止められ室外側へ排出され、雨が降った時に雨水が室内へ侵入して室内が汚れることを防止することができる換気扇用取付枠が得られる。【選択図】図５
2016223755.tif 000002
【特許請求の範囲】
【請求項１】
壁に設けた貫通孔に取り付けられる枠状に組立てられる形状の４個づつの同一形状の薄肉の角部品と板部品とで構成し、前記角部品と前記板部品は２つの中心平面に対してそれぞれが対称形とし、前記角部品と前記板部品に嵌合穴と嵌合突部とを設け、前記角部品と前記板部品とを接合し取付枠として組み立て、前記角部品と前記板部品との内面に凸状の水止めリブを設けることを特徴とする換気扇用取付枠。
【請求項２】
角部品および板部品の内面には、水止めリブの両側が外方下方に向け勾配を設けることを特徴とする請求項１に記載の換気扇用取付枠。
【発明の詳細な説明】
【技術分野】
【０００１】
本発明は、壁に設けた貫通孔に換気扇を取付ける時に使用する換気扇用取付枠に関するものである。
【背景技術】
【０００２】
従来、この種の換気扇用取付枠は、壁に設けた貫通孔に取り付けられるように枠状に組み立てられる形状で再生木片チップと合成樹脂との混合形成物、あるいは可塑性低発泡材料で形成された複数の枠片を備えて接合されたものが知られている（例えば、特許文献１参照）。
【０００３】
以下、その換気扇用取付枠について図４および図５を参照しながら説明する。
【０００４】
図４および図５に示すように、板状で端部に蟻溝１０１を形成し、外面に重量を軽減する複数の凹部１０２を設け、凹部１０２に対向しない位置の内面にねじ止めあるいは釘打ちが可能な半抜き穴１０３を設けた１対の第１の枠片１０４ａと、第１の枠片１０４ａに設けた蟻溝１０１に係合する断面が台形状の突部１０５を端部に設けた１対の第２の枠片１０４ｂとにより枠片１０４を形成し、第１の枠片１０４ａの端部に設けた蟻溝１０１と第２の枠片１０４ｂの端部に設けた突部１０５により接合手段１０６を形成し、接合手段１０６により枠片１０４を枠状に接合し、取付枠１０７を形成する。さらに、枠片１０４の室外側の屋外フード取付側に屋外フードを取り付けるボルト等よりなる屋外フード取付手段１０８をインサート成形する。また、枠片１０４の室内側の換気扇取付側に絶縁機能をもったフランジ１０９を組み合わせ形成する４分割されたフランジ片１０９ａを一体的に成形するとともに、換気扇を取り付けるボルト等よりなる換気扇取付手段１１０をインサート成形する。
【先行技術文献】
【特許文献】
【０００５】
【特許文献１】特開２００１−２２７７８５号公報
【発明の概要】
【発明が解決しようとする課題】
【０００６】
このような従来の換気扇用取付枠においては、雨が降った時に雨水が換気扇と取付枠との隙間から入り込んで取付枠の内面を通って室内へ侵入し室内が汚れる、という課題を有していた。
【０００７】
そこで本発明は、上記従来の課題を解決するものであり、雨が降った時に雨水が室内へ侵入して室内が汚れることを防止することができる換気扇用取付枠を提供することを目的とする。
【課題を解決するための手段】
【０００８】
そして、この目的を達成するために、本発明は、壁に設けた貫通孔に取り付けられる枠状に組立てられる形状の４個づつの同一形状の薄肉の角部品と板部品とで構成し、前記角部品と前記板部品は２つの中心平面に対してそれぞれが対称形とし、前記角部品と前記板部品に嵌合穴と嵌合突部とを設け、前記角部品と前記板部品とを接合し取付枠として組み立て、前記角部品と前記板部品との内面に凸状の水止めリブを設けることとしたものであり、これにより所期の目的を達成するものである。
【発明の効果】
【０００９】
本発明によれば、壁に設けた貫通孔に取り付けられる枠状に組立てられる形状の４個づつの同一形状の薄肉の角部品と板部品とで構成し、前記角部品と前記板部品は２つの中心平面に対してそれぞれが対称形とし、前記角部品と前記板部品に嵌合穴と嵌合突部とを設け、前記角部品と前記板部品とを接合し取付枠として組み立て、前記角部品と前記板部品との内面に凸状の水止めリブを設ける、という構成にしたことにより、雨水の一部は換気扇と取付枠との隙間から浸入して取付枠の内面に沿って流れ水止めリブに接触しせき止められ室外側へ排出されることとなるので、雨が降った時に雨水が室内へ侵入して室内が汚れることを防止することができる、という効果を得ることができる。
【図面の簡単な説明】
【００１０】
【図１】本発明の実施の形態１の換気扇用取付枠の構成を示す分解斜視図
【図２】同換気扇用取付枠に換気扇の取付状態を示す斜視図
【図３】同換気扇用取付枠の角部品を示す斜視図
【図４】同換気扇用取付枠の板部品を示す斜視図
【図５】同換気扇用取付枠の構成を示す斜視図
【図６】従来の換気扇用取付枠の構成を示す斜視図
【図７】同換気扇用取付枠の構成を示す分解斜視図
【発明を実施するための形態】
【００１１】
本発明の請求項１記載の換気扇用取付枠は、壁に設けた貫通孔に取り付けられる枠状に組立てられる形状の４個づつの同一形状の薄肉の角部品と板部品とで構成し、前記角部品と前記板部品は２つの中心平面に対してそれぞれが対称形とし、前記角部品と前記板部品に嵌合穴と嵌合突部とを設け、前記角部品と前記板部品とを接合し取付枠として組み立て、前記角部品と前記板部品との内面に凸状の水止めリブを設ける、という構成を有する。これにより、雨水の一部は換気扇と取付枠との隙間から浸入して取付枠の内面に沿って流れ水止めリブに接触しせき止められ室外側へ排出されることとなるので、雨が降った時に雨水が室内へ侵入して室内が汚れることを防止することができる、という効果を奏する。
【００１２】
また、角部品および板部品の内面には、水止めリブの両側が外方下方に向け勾配を設ける、という構成にしてもよい。これにより、雨水が勾配を伝わって室外側へ排出されることとなるので、雨が降った時に雨水が室内へ侵入して室内が汚れることを更に防止することができる、という効果を奏する。
【００１３】
以下、本発明の実施の形態について図面を参照しながら説明する。
【００１４】
（実施の形態１）
図１および図２に示すように、本実施の形態１の換気扇用取付枠は、４個づつの同一形状の２ｍｍ程度の薄肉の角部品１と板部品２とで構成している。
【００１５】
そして、これら角部品１と板部品２との２種類の部品を正方形の枠状に組み立てる。
【００１６】
そして、壁（図示せず）に設けた貫通孔（図示せず）に嵌め込んで取り付けてネジ等で固定する。
【００１７】
そして、プロペラ式の換気扇３をネジ等で固定するための換気扇用取付枠として使用する。
【００１８】
そして、図３および図４に示すように、角部品１と板部品２とはそれぞれ２つの中心平面４ａ、４ｂと５ａ、５ｂを有する。
【００１９】
そして、２つの中心平面４ａ、４ｂと５ａ、５ｂに対して対称形に形成されている。
【００２０】
すなわち、角部品１の２つの中心平面は中心平面４ａ、４ｂとし、板部品２の２つの中心平面は中心平面５ａ、５ｂとなる。
【００２１】
そして、角部品１は内部が空洞の方形状の筒形状６を形成している。
【００２２】
そして、角部品１自体には壁に面する２側面側には嵌合穴７を有する。
【００２３】
そして、嵌合穴７は角部品１の壁に面する側面に対して一段内側に数ｍｍ程度凹ませた内側面８に設けられている。
【００２４】
そして、板部品２は両端に嵌合突部９を有する。
【００２５】
そして、角部品１の筒形状６に係合するように挿入代１０が設けられている。
【００２６】
なお、嵌合穴７は角部品１の壁に面する側面に対して一段内側に凹ませた内側面８に設けられているため、部品すなわち角部品１と板部品２とを嵌合させた後も嵌合突部９が換気扇用取付枠の外郭面に突出することはない。
【００２７】
このような構成をすることにより、角部品１と板部品２とを接合して取付枠を形成する。
【００２８】
そして、図５に示すように、角部品１と板部品２とを接合して取付枠として組み立て、角部品１と板部品２との内面１３に中心平面４ｂ、５ｂに数ｍｍ程度の凸状の水止めリブ１１を設ける。
【００２９】
これにより、外から降り注いだ雨水の一部は換気扇３と角部品１と板部品２とを接合した取付枠との数ｍｍ程度の隙間１２から浸入して取付枠の内面１３に沿って流れ水止めリブ１１に接触しせき止められ室外側へ排出される。よって、雨が降った時に雨水が室内へ侵入して室内が汚れることを防止することができる。
【００３０】
なお、水止めリブ１１は取付枠と一体ではなく別部品にて構成し、接着剤などにより水止めリブ１１を取付枠に固定するという構成にしてもよい。
【００３１】
このことにより、金型で水止めリブ１１設けることが困難な場合でも容易に水止めリブ１１を設けることができる。
【００３２】
そして、角部品１よび板部品２の内面１３には、水止めリブ１１の両側が外方下方に向け勾配１４を設ける。
【００３３】
これにより、雨水が勾配１４を伝わって室外側へ排出されることとなるので、雨が降った時に雨水が室内へ侵入して室内が汚れることを更に防止することができる。
【産業上の利用可能性】
【００３４】
本発明にかかる換気扇用取付枠は、雨が降った時に雨水が室内へ侵入して室内が汚れることを防止することができることを可能とするものであるので、室内と室外を連通させる貫通孔などに施工して使用される屋外フード等取付枠等として有用である。
【符号の説明】
【００３５】
１    角部品
２    板部品
３    換気扇
６    筒形状
７    嵌合穴
８    内側面
９    嵌合突部
１０  挿入代
１１  水止めリブ
１２  隙間
１３  内面
１４  勾配
【図１】
2016223755.tif 000003
【図２】
2016223755.tif 000004
【図３】
2016223755.tif 000005
【図４】
2016223755.tif 000006
【図５】
2016223755.tif 000007
【図６】
2016223755.tif 000008
【図７】
2016223755.tif 000009